(57)【特許請求の範囲】
【請求項１】
建物外周部布基礎の上端部に形成された凹部の形状に対応した幅と高さを有する箱状の本体を備え、
該本体の背面部或いは前記布基礎から建物内部側に突出した底面部に排水桝排水管の接続部を備え、
前記排水桝排水管の接続部よりも上方或いは上面部に器具排水管の接続部を備えた排水ヘッダーが、前記建物外周部布基礎の上端部に形成された凹部に配置された、排水ヘッダーの基礎への取付構造。
【請求項２】
前記器具排水管の接続部を前記排水ヘッダー本体の上面部の壁体内の空隙の略直下に形成したことを特徴とする請求項１に記載の排水ヘッダーの基礎への取付構造。
【請求項３】
前記器具排水管の接続部を１階床の欠き込み部分に配置されるように前記排水ヘッダー本体の上面部から突出して形成したことを特徴とする請求項１または請求項２に記載の排水ヘッダーの基礎への取付構造。
【請求項４】
前記本体の前面部に開口が設けられ、該開口には、着脱可能な点検蓋が設けられていることを特徴とする請求項１乃至請求項３のいずれかに記載の排水ヘッダーの基礎への取付構造。
【請求項５】
前記本体の内部には、排水を前記排水桝排水管の接続部方向に案内する傾斜面を有する勾配部材が設けられ、
該勾配部材が前記点検蓋に一体的に取り付けられていることを特徴とする請求項４に記載の排水ヘッダーの基礎への取付構造。
【請求項６】
該排水ヘッダー本体の内部に排水を前記排水桝排水管の接続部方向に案内する傾斜面を形成したことを特徴とする請求項１乃至請求項４のいずれかに記載の排水ヘッダーの基礎への取付構造。
【請求項７】
前記点検蓋に通気兼オーバーフロー水排出用の孔を設けたことを特徴とする請求項４または請求項５に記載の排水ヘッダーの基礎への取付構造。
【発明の詳細な説明】
【技術分野】
【０００１】
本発明は、複数の排水管からの排水を一系統の排水管に集約して排水する際に使用する排水ヘッダーに関するものである。
【背景技術】
【０００２】
従来より建物内部の排水管工事の簡略化を図るために、複数の器具排水管を１ヶ所に集中させ、各器具からの排水を合流させて排水桝排水管に流す排水ヘッダーが開発されてきた。従来の排水ヘッダーは建物の１階床下空間に設置されることが多く、点検、清掃等の作業が行い難いという問題があった。
【０００３】
尚、ここで器具排水管とは、排水ヘッダーと排水ヘッダーよりも上流に設置される器具とを接続する排水管である。また、排水桝排水管とは排水ヘッダーと排水ヘッダーよりも下流に設置される排水桝とを接続する排水管である。
【０００４】
この問題を解決する為の手段として、特許文献１のような排水システムが提案されている。これは、外周基礎に設けた開口部の近傍に集合排水桝（排水ヘッダー）を設けて建物外部から作業を行い得るように構成したものであり、建物の内部に入る必要や床下に潜る必要がないので作業性が向上する、とされている。
【先行技術文献】
【特許文献】
【０００５】
【特許文献１】特開２００５−２５６２８４号公報
【発明の概要】
【発明が解決しようとする課題】
【０００６】
しかしながら、外周基礎近傍の開口部とは言え、建物の外周基礎の領域内、即ち床下空間であることに変わりはなく、実施にあたっては以下のような問題の発生が懸念され、作業性に関しては改善の余地がある。（１）集合排水桝の内部を直接目視して清掃状況を確認することが出来ない。（２）開口部から枝管や主管までが直線的でなく分岐も多いので清掃器具を目的の枝管や主管まで到達させることが難しい。（３）蓋体が床下に位置する場合は[i1] 開閉作業がし難い。（４）蓋を誤って布基礎内部へ[i2] 落下させてしまうと拾い上げるのに手間がかかる。
【０００７】
本発明は、上記従来技術の課題を解決し、より作業性に優れた排水ヘッダーを提供することを目的とする。
【課題を解決するための手段】
【０００８】
本発明に係る排水ヘッダーの基礎への取付構造の第１の構成は、建物外周部布基礎の上端部に形成された凹部の形状に対応した幅と高さを有する箱状の本体を備え、該本体の背面部或いは布基礎から建物内部側に突出した底面部に排水桝排水管の接続部を備え、排水桝排水管の接続部よりも上方或いは上面部に器具排水管の接続部を備えたことを特徴とする。
【０００９】
ここで器具側接続部とは、器具排水管を接続する部分、また、排水桝側接続部とは、排水桝排水管を接続する部分である。
【００１０】
本発明に係る排水ヘッダーの基礎への取付構造の第２の構成は、第１の構成において、器具排水管の接続部を排水ヘッダー本体の上面部の壁体内の空隙の略直下に形成したことを特徴とする。
【００１１】
本発明に係る排水ヘッダーの基礎への取付構造の第３の構成は、第１、第２の構成において、器具排水管の接続部を１階床の欠き込み部分に配置されるように排水ヘッダー本体の上面部から突出して形成したことを特徴とする。
【００１２】
本発明に係る排水ヘッダーの基礎への取付構造の第４の構成は、第１〜第３の構成において、本体の前面部に開口が設けられ、該開口には、着脱可能な点検蓋が設けられていることを特徴とする。
【００１３】
本発明に係る排水ヘッダーの基礎への取付構造の第５の構成は、第４の構成において、本体の内部には、排水を排水桝排水管の接続部方向に案内する傾斜面を有する勾配部材が設けられ、該勾配部材が点検蓋に一体的に取り付けられていることを特徴とする。
【００１４】
本発明に係る排水ヘッダーの基礎への取付構造の第６の構成は、第１〜第４の構成において、該排水ヘッダー本体の内部に排水を排水桝排水管の接続部方向に案内する傾斜面を形成したことを特徴とする。
【００１５】
本発明に係る排水ヘッダーの基礎への取付構造の第７の構成は、第４、第５の構成において、点検蓋に通気兼オーバーフロー水排出用の孔を設けたことを特徴とする。
【発明の効果】
【００１６】
本発明に係る排水ヘッダーの第1の構成によれば、建物外周部布基礎の上端部に形成された凹部に配置された排水ヘッダー本体（本発明）へ、排水桝側接続部と器具側接続部とを集中させることができる。
【００１７】
また、布基礎上端部の凹部は排水ヘッダー本体により塞がれるので点検蓋や点検蓋固定部品（ビスなど）、工具等が建物床下に落下することもない。
【００１８】
本発明に係る排水ヘッダーの第２の構成によれば、器具側接続部を上面部の壁体内の空隙の略直下に形成したので、壁体内を立ち下げた上階からの排水管を曲げることなく接続することが出来るので、排水管内部の詰まりも生じ難い。
【００１９】
本発明に係る排水ヘッダーの第３の構成によれば、器具側接続部を１階床に埋設されるように上面部から突出して形成したので、排水ヘッダーに固定手段を付加しなくとも、１階床パネルの周囲をモルタルなどで充填固定すれば、同時に排水ヘッダーを所定の位置に固定することが出来、施工性を向上させることが出来る。
【００２０】
本発明に係る排水ヘッダーの第４の構成によれば、前面部すなわち建物の外部側の開口に着脱可能な点検蓋を備えているので、点検蓋を取り外すことにより排水ヘッダー内部や排水桝側接続部と器具側接続部の状況が目視で確認出来、排水ヘッダー内部の清掃のみならず、排水桝排水管や器具排水管へ清掃器具を挿入して清掃することも容易である。
【００２１】
本発明に係る排水ヘッダーの第５の構成によれば、本体内部は勾配部材が存在するので、雨水に混入した砂塵埃等も本体内部に堆積することなくスムーズに排出することができる。また、点検蓋を取り外すことによって本体の前面部は全面的に開放され、しかも、点検蓋と勾配部材が一体となっており点検蓋の取り外しと同時に本体内部に作業上の障害物となる勾配部材が取り除かれるので、作業が行い易い。
【００２２】
本発明に係る排水ヘッダーの第６の構成によれば、器具側接続部内部に排水を排水桝側接続部方向に案内する傾斜面を形成したので、排水の流れがスムーズとなり排水に混入した異物が排水ヘッダー内部に残留することを防止できる。
【００２３】
本発明に係る排水ヘッダーの第７の構成によれば、点検蓋に通気とオーバーフロー水排出の為の孔を設けたので、器具排水管内部に空気が混入した場合であっても排水ヘッダーで空気を分離することができるので、排水管中に空気が閉じ込められることに由来する排水障害を解消することができる。また万一、排水桝側での詰まり等により排水が滞った場合もオーバーフロー水を速やかに建物外部に排出することが出来る。
【００２４】
特に器具排水管の排水方式がサイホンの原理を利用したものである場合、サイホンの妨げとなる器具排水管内部の空気を当該孔から押し出すことが容易となるため、速やかに排水を開始させることが出来る。尚、サイホンの原理を利用した排水システムとは、比較的小径の排水管内部を略満排水状態として流下させることで、後続排水を吸引搬送する排水システムである。
【図面の簡単な説明】
【００２５】
【図１】本発明に係る排水ヘッダーまわりの建物の構成を示す正面図及び断面図である。
【図２】排水ヘッダーの構成を示す四面図である。
【図３】スリットの裏側に設けられた水返しの構成を示す断面説明図である。
【図４】排水ヘッダーに排水管を接続した状態を示す斜視図である。
【図５】点検蓋及び勾配部材の構成を示す斜視図である。
【図６】排水ヘッダーの他の実施例を示す断面図である。
【発明を実施するための形態】
【００２６】
以下、排水ヘッダーの最も好ましい実施形態について説明する。
【００２７】
（建物側の構成）
外周部に布基礎が形成され、該布基礎上端面よりも高い位置に1階床面が形成され、床下に排水管を配管し得る空間が確保された建物であればいかなる形式の建物でも良い。
【００２８】
外周部布基礎上端部に形成される凹部の大きさは特に限定されるものではないが、布基礎に設ける床下換気孔と同一形状であることが好ましい。このように構成することで床下換気孔と同一の型枠が使用出来、施工性が高まる。
【００２９】
（排水ヘッダーの構成）
排水ヘッダーの本体は前記凹部にほぼ隙間なく納まる箱状であり、本体の前面部に開口を塞ぐ点検蓋と、本体の上面部、底面部、背面部に複数の排水管接続部とを設けたものである。材質は腐食変形等が発生し難いものであればいかなるものでも構わないが、排水管工事で一般的に用いられる塩ビ管との接続が容易で、腐食にも強い硬質ポリ塩化ビニルとするのが好ましい。
【００３０】
（排水管接続部の構成）
また、前記排水管接続部には、器具から排出された排水を排水ヘッダーに導く器具排水管を接続する器具側接続部と、排水を排水ヘッダーから排水桝へ導く排水桝排水管を接続する排水桝側接続部とがある。
【００３１】
器具側接続部は、上面部に設けても良いし、背面部の排水桝側接続部よりも高い位置に設けても良い。また、排水桝側接続部は、背面部下端に設けても良いし、底面部を建物床下方向へ突出させ突出した底面部に設けても良い。尚、点検、清掃等の作業上、排水管接続部を上面部や下面部に形成する場合は、排水管接続部はなるべく前面寄り（点検蓋寄り）に配置するのが好ましい。
【００３２】
器具側接続部は布基礎天端より上方に突出するように構成し、突出部周囲にモルタルやグラウト等を充填することにより排水ヘッダーを所定の位置に固定することが出来る。特に、床をＡＬＣ（軽量気泡コンクリート）パネルやＰＣ（プレキャストコンクリート）パネルで構成し、その周囲をモルタルで固定する工法の場合には、モルタルの打設と同時に、配管作業の終了した突出部周囲にもモルタルが充填されて排水ヘッダーも固定できるため、排水ヘッダーの固定作業に掛かる手間を軽減させることが出来る。
【００３３】
（傾斜面の構成）
器具排水管の内部には、排水と共に流れ込んで来た砂や塵埃が排水ヘッダー内に残留、堆積しないように、排水桝側接続部に向かって傾斜面を形成するのが好ましい。また、傾斜面を形成する勾配部材を排水ヘッダー本体とは別体とすれば、清掃時に勾配部材を取り外して排水ヘッダー内部の空間を広げることが出来、メンテナンス性が損なわれない。
【００３４】
（点検蓋の構成）
排水ヘッダーの前面部（建物外部側の面）には、排水ヘッダー内部や排水ヘッダーに接続された排水管の点検、清掃等を目的として開口が設けられるが、排水ヘッダー内を通過する排水の溢出の防止を目的として通常時開口は点検蓋にて閉塞される。
【００３５】
排水ヘッダー本体と点検蓋とは、水密性を確保するためにゴムパッキン等の止水部材を介してビス等で固定するのが好ましい。
【００３６】
排水ヘッダーで処理すべき排水が建物の屋根面やベランダ面への降雨である場合、点検蓋には通気の機能とオーバーフロー水排出の機能とを兼ねた孔を設けるのが好ましい。特に、雨水の排水方式がサイホン式の場合、サイホンの妨げとなる器具排水管内部の空気を当該孔から押し出すことが容易となるため、速やかに排水を開始させることが出来る。
【００３７】
尚、処理すべき排水が雑排水の場合、点検蓋に孔を設けると臭気の拡散の問題が生じるので、別途対策が必要である。また、孔は鼠等の小動物が侵入しないような大きさであることが好ましい。また、排水ヘッダー内で跳ねた排水が容易に孔から外へ出ないように、孔には水返しを設けることが好ましい。
【００３８】
図により本発明に係る排水ヘッダーの一実施形態を具体的に説明する。図１は本発明に係る排水ヘッダーまわりの建物の構成を示す正面図及び断面図、図２は排水ヘッダーの構成を示す四面図、図３はスリットの裏側に設けられた水返しの構成を示す断面説明図、図４は排水ヘッダーに排水管を接続した状態を示す斜視図、図５は点検蓋及び勾配部材の構成を示す斜視図、図６は排水ヘッダーの他の実施例を示す断面図である。
【００３９】
[実施例１]
図１〜図５において、本実施例の排水ヘッダーＢは、建物Ａ上階のベランダ床面に降った雨水をドレインにて集排水し排水桝を経由して下排水本管に放流する経路上に設けられたものである。図１に示す建物Ａは、該建物Ａの外周部に格子状に配された布基礎１と、該布基礎１上に構築された鉄骨造の軸組みと、ＡＬＣ（軽量気泡コンクリート）からなる床パネル２ａ及び外壁パネル３ａとで基本架構を構成した住宅である。
【００４０】
１階床２は、床パネル２ａ、断熱材２ｂ、床仕上材２ｃという層構成である床パネル２ａは布基礎１や該布基礎１に架け渡された鉄骨梁（不図示）等で支持されている。尚、床パネル２ａの目地部や床パネル２ａと外壁パネル３ａとの間隙にはモルタル２ｄが充填されている。
【００４１】
建物Ａ外周部の壁体３は、外壁パネル３ａ、断熱材３ｂ、空気層３ｃ、下地材３ｄ、石膏ボード３ｅ、壁クロス３ｆという層構成で構成されている。外壁パネル３ａは、外周部布基礎１に載置固定された略逆Ｔ字断面の外壁パネル受け金物3a1にて所定の位置に位置決めされ固定されている。
【００４２】
布基礎１の上端部には排水ヘッダーＢを嵌め込む為の凹部１ａが設けられている。凹部１ａの大きさは布基礎１の上端部に形成される床下換気孔（不図示）の大きさに等しく、床下換気孔形成用の型枠（不図示）を布基礎１の立ち上がり部構築用の一対の型枠（不図示）の内部に嵌め込んだ状態でコンクリートを打設することで形成される。
【００４３】
（排水ヘッダー本体）
図２に示すように、排水ヘッダーＢの本体10は、凹部１ａの形状に対応した幅約３００mm、奥行約１６０mm、高さ約１００mmの外寸を持つ内部が空洞の略直方体の箱状であり、布基礎１の凹部１ａよりも僅かに小さく設計されている。また、材質は排水管と同様に硬質塩化ビニル樹脂である。排水ヘッダーＢの本体10の背面部の中央下端部からは排水桝側接続部10ｂが突出している。また、排水桝側接続部10ｂよりも上方或いは上面部からは複数の器具側接続部10ａが突出している。器具側接続部10ａは布基礎１の凹部１ａに嵌め込んだ際に、器具側接続部10ａの上方が壁体３内部の空気層３ｃとなるように位置決めされている。排水ヘッダーＢの本体10の前面部は全面的に開口10ｃとなっており、該開口10ｃの周縁には着脱可能な点検蓋11を嵌め込むための欠き込み10ｄと点検蓋11をビス止めするためのビス孔10ｅが形成されている。
【００４４】
（排水ヘッダーまわりの構成）
図４に示すように、器具側接続部10ａと床パネル２ａとの干渉を防止すると共に該器具側接続部10ａ周囲に排水ヘッダーＢ固定用のモルタル２ｄを充填する為に、床パネル２ａには欠き込みがされている。
【００４５】
器具側接続部10ａには架橋ポリエチレン管からなる器具排水管20の一端が接続されている。器具排水管20は、直径が約20mmであり、壁体３の空気層３ｃ内や天井裏の空間（不図示）を経由して他端がベランダのドレインに接続されている。
【００４６】
即ち、本実施形態では、器具側接続部10ａを排水ヘッダーＢの本体10の上面部の壁体３内の空隙となる空気層３ｃの略直下に形成したものであり、更には、器具側接続部10ａを１階床２に埋設されるように排水ヘッダーＢの本体10の上面部から突出して形成したものである。
【００４７】
器具排水管20を器具側接続部10ａに接続し、排水桝排水管21を排水桝側接続部10ｂに接続したのち、床パネル２ａを敷設し、該床パネル２ａの目地部及び器具側接続部10ａ周囲にモルタル２ｄが充填され該モルタル２ｄが固化することによって排水ヘッダーＢが所定の位置に固定される。
【００４８】
排水桝側接続部10ｂには内径が７５mm程度の塩化ビニル製パイプからなる排水桝排水管21が接続されている。排水桝排水管21は２つの９０度エルボー21ａにてＵ字に屈曲されて布基礎１のスリーブ１ｂを経由して建物Ａ外部に延設され建物Ａ外部の排水桝に接続されている。排水桝排水管21の排水方式はサイホン式ではない在来の自然流下式である。
【００４９】
（点検蓋について）
図５に示すように、点検蓋11は排水ヘッダー本体10の開口10ｃに対応した略長方形である。点検蓋11の上部にはスリット11ｃが設けられている。点検蓋11の周縁部の裏面には弾力性のある樹脂で構成されたパッキン材11ｂが貼着されている。図２（ｅ）は図２（ｄ）の丸破線部分の拡大図である。点検蓋11の周縁部に穿たれたビス孔11ａと排水ヘッダー本体10の前面部の開口10ｃ周縁のビス孔10ｅの位置をあわせてビス12を螺入し、パッキン材11ｂが押し潰されるまで締結することで点検蓋11は排水ヘッダー本体10の前面部に密着固定される。
【００５０】
スリット11ｃは通気兼オーバーフロー水排出用の孔であり、図２（ｃ）に示すように、点検蓋11の上端寄りで排水桝側接続部10ｂよりも高い位置に設けられている。また、スリット11ｃの背後には、図３のように水返し11ｄを設けているので、器具排水管20から勢い良く流れ込んだ排水が、排水ヘッダー本体10内部で跳ねてもスリット11ｃから外へ出る虞はない。
【００５１】
図５に示すように、点検蓋11の裏面には、幅方向についてはＶ字に中央に向かって傾斜し、奥行き方向にも傾斜した傾斜面13ａを有する勾配部材13が一体的に取り付けられている。勾配部材13は、排水ヘッダー本体10内部の形状に対応しており、点検蓋11を本体10に固定した状態で、中央先端部の最も低い位置が排水桝側接続部10ｂの開口10b1に対向し排水を排水桝排水管21方向に案内し得るように構成されている。なお、勾配部材13の周縁部は、パッキン材（不図示）を介して排水ヘッダー本体10の内面へ押し当てられ、傾斜面13ａの下側へ排水が回り込むことはない。
【００５２】
即ち、図２に示すように、排水ヘッダーＢは、器具側接続部10ａを排水ヘッダー本体10の上面部に形成すると共に、該排水ヘッダー本体10の内部に排水を排水桝側接続部10ｂ方向に案内する傾斜面13ａを形成したものである。
【００５３】
（効果）
排水ヘッダー本体10内部は勾配部材13が存在するので、雨水に混入した砂塵埃等も排水ヘッダーＢの本体10内部に堆積することなくスムーズに排出することが出来る。
【００５４】
また、スリット11ｃによって器具排水管20の端部が大気に開放されるので、ドレインに流れ込んだ雨水が器具排水管20内部の空気を押し出し易くなりサイホンの原理を利用した排水を速やかに開始することが出来る。また、排水桝排水管21が詰まるなどして排水がなされなくなった場合には、スリット11ｃから排水が建物Ａ外に排出されベランダに雨水が溜まることがない。
【００５５】
点検、清掃等の際は、点検蓋11を取り外すことによって排水ヘッダー本体10の前面部は全面的に開放され、しかも、点検蓋11と勾配部材13が一体となっており点検蓋11の取り外しと同時に本体内部に作業上の障害物となる勾配部材13が取り除かれるので、作業が行い易い。
【００５６】
また、器具側接続部10ａ及び排水桝側接続部10ｂは、排水ヘッダー本体10の開口部の近傍で充分に手の届く範囲に位置し、開口からの目視も可能であるので、点検作業や清掃器具を器具側接続部10ａや排水桝側接続部10ｂから挿入して器具排水管20や排水桝排水管21を清掃する作業を容易に行うことが出来る。
【００５７】
[実施例２]
図６は、排水管接続部10ａ，10ｂの位置に関する他の構成例である。排水ヘッダー本体10が建物Ａ内部方向に延伸されており、器具側接続部10ａが排水ヘッダー本体10の背面部に設けられ、排水桝側接続部10ｂが排水ヘッダー本体10の建物Ａ内部方向に延伸した底面部に設けられている。
【００５８】
即ち、本実施形態では、布基礎１から建物Ａ内部側に突出した排水ヘッダー本体10の底面部に排水桝側接続部10ｂを備えたものであり、このように構成しても前記実施例１と同様の作用効果を奏することが出来る。
【産業上の利用可能性】
【００５９】
本発明の活用例として、複数の排水管からの排水を一系統の排水管に集約して排水する際に使用する排水ヘッダーに適用出来る。
【符号の説明】
【００６０】
Ａ…建物、Ｂ…排水ヘッダー、１…布基礎、１ａ…凹部、２…床、３…壁体、10…排水ヘッダー本体、10ａ…器具側接続部、10ｂ…排水桝側接続部、10b1、10ｃ…開口、11c…スリット、13…勾配部材、13ａ…傾斜面、20…器具排水管、21…排水桝排水管。
【図１】
0005666515.tif 000002
【図２】
0005666515.tif 000003
【図３】
0005666515.tif 000004
【図４】
0005666515.tif 000005
【図５】
0005666515.tif 000006
【図６】
0005666515.tif 000007